Podtech/llm-jp-corpus-v4-ja_patent huggingface dataset:
(57)【要約】      （修正有）【課題】従来から麦わら帽子には、風に対抗する為の顎紐は付いていたが、それでも背後から強風にあおられると、麦わら帽子は頭からめくれる様に離れて飛んで行ってしまって、麦わら帽子を追っかけねばならないハプニングに見舞われていた強風でも飛ばされない顎紐付き麦わら帽子を提供する。【解決手段】顎紐付き麦わら帽子本体（１）の後頭部側（３）に後頭部紐（４）を設ける。【選択図】図１
2019070220.tif 000002
【特許請求の範囲】
【請求項１】
顎紐付き麦わら帽子本体（１）で、後頭部側（３）に、後頭部紐（４）を設け、後頭部紐（４）を、顎紐（５）に繋げ顎の部位で留めることを特徴とした強風でも飛ばされない顎紐付き麦わら帽子。
【発明の詳細な説明】
【技術の分野】
【０００１】  本発明は強風でも飛ばされない顎紐付き麦わら帽子に関する。
【背影の技術】
【０００２】  従来は、顎紐付き麦わら帽子は、風が強くなってきたら、顎紐を強くしめて対応していた。
【先行技術】
【０００３】  特願２０１２−１６７６８３。特開２０１４−１４１７５６。特開２０１４−００１４８９。
【発明の概要】
【発明が解決しようとする課題】
【０００４】  従来から麦わら帽子には、風に対抗する為の顎紐は付いていたが、それでも背後から強風にあおられると、麦わら帽子は頭からめくれる様に離れて飛んで行ってしまって麦わら帽子を追っかけなければならないパプニングに見舞われていた。
【課題を解決する為の手段】
図面にもとづいて説明します。図１、図２は、本発明の斜視図で（１）は、顎紐付き麦わら帽子本体、（２）は、麦わら帽子のつば、（３）は、顎紐付き麦わら帽子本体（１）の後頭部側で、（４）後頭部紐を設けてある。（５）は、顎紐付き麦わら帽子本体（１）の顎紐である。
強風の時は、後頭部側（３）に設けた、後頭部紐（４）を引張って顎紐（５）に図１の如く、顎の部位に留める。強風でない時は、図２の如く、後頭部紐（４）を顎紐（５）に添って耳の上まで突き上げておくと、邪魔にならない。強風になると、顎紐（５）に添ってまた後頭部紐（４）を引き下げて図１の如く状態とすれば良い。
【発明の効果】
顎紐付き麦わら帽子本体（１）で後頭部紐（４）を顎紐（５）に繋げることで強風に背後から煽られても、後頭部紐（４）が後頭部から後頭部紐（４）で顎紐に繋がって引っ張っているから、飛ばされなくて済む。強風でない時は、耳の上部へ顎紐に添って突き上げておけば邪魔にならない。後頭部紐（４）の上げ下げは顎紐（５）に添って自在簡単である。
【図面の簡単な説明】
【０００５】
【図１】図１は、本発明の斜視図で、顎紐（５）に後頭部紐（４）を繋いで引っ張った状態である。
【図２】図２は、本発明の斜視図で、顎紐（５）に添って耳の上まで後頭部紐（４）を突き上げ弛めた状態である。
【産業上利用の可能性】
【０００６】
【符号の説明】
【０００７】（１）は、顎紐付き麦わら帽子本体。
（２）は、麦わら帽子のつば。
（３）は、後頭部側。
（４）は、後頭部紐。
（５）は、顎紐。
【図１】
2019070220.tif 000003
【図２】
2019070220.tif 000004
【手続補正書】
【提出日】平成30年9月13日(2018.9.13)
【手続補正１】
【補正対象書類名】明細書
【補正対象項目名】全文
【補正方法】変更
【補正の内容】
【発明の詳細な説明】
【０００１】技術の分野
本発明は強風でも飛ばされない顎紐付き麦わら帽子に関する。
【０００２】背影の技術
従来は、顎紐付き麦わら帽子は、風が強くなってきたら、顎紐を強くしめて対応していた。
【０００３】先行技術
特願２０１２−１６７６８３。特開２０１４−１４１７５６。特開２０１４−００１４８９。
【０００４】発明の概要
【発明が解決しようとする課題】
従来から麦わら帽子には、風に対抗する為の顎紐は付いていたが、それでも背後から強風にあおられると、麦わら帽子は頭からめくれる様に離れて飛んで行ってしまって麦わら帽子を追っかけなければならないハプニングに見舞われていた。
【課題を解決する為の手段】
図面にもとづいて説明します。図１、図２は、本発明の斜視図で（１）は、顎紐付き麦わら帽子本体、（２）は、麦わら帽子のつば、（３）は、顎紐付き麦わら帽子本体（１）の後頭部側で、（４）後頭部紐を設けてある。（５）は、顎紐付き麦わら帽子本体（１）の顎紐で顎（６）の部位で結んである。
強風の時は、後頭部側（３）に設けた、後頭部紐（４）を引張って顎紐（５）に図１の如く、顎（６）の部位に留める。そうすれば強風でない時は、図２の如く、後頭部紐（４）を顎紐（５）に添って耳の上まで突き上げておくと、緊張が解け、かつ邪魔にならない。強風になると、逆操作で顎紐（５）に添ってまた後頭部紐（４）を引き下げて図１の如く状態とすれば良い。
【発明の効果】
顎紐付き麦わら帽子本体（１）で後頭部側（３）に設けた後頭部紐（４）を顎紐（５）の顎（６）の部位に繋げることで強風に背後から煽られても、後頭部紐（４）が後頭部側（３）から後頭部紐（４）で顎紐（５）に繋がって引っ張っているから、飛ばされなくて済む。強風でない時は、耳の上部へ顎紐に添って突き上げておけば緊張は解けて、かつ邪魔にならない。後頭部紐（４）の上げ下げは顎紐（５）に添って自在簡単である。
【０００５】図面の簡単な説明
図１は、本発明の斜視図で、顎紐（５）に後頭部紐（４）を繋いで引っ張った状態である。
図２は、本発明の斜視図で、顎紐（５）に添って耳の上まで後頭部紐（４）を突き上げ弛めた状態である。
【０００６】産業上利用の可能性
【０００７】符号の説明
（１）は、顎紐付き麦わら帽子本体。
（２）は、麦わら帽子のつば。
（３）は、後頭部側。
（４）は、後頭部紐。
（５）は、顎紐。
（６）は、顎。
（７）は、結び目。
【手続補正２】
【補正対象書類名】特許請求の範囲
【補正対象項目名】全文
【補正方法】変更
【補正の内容】
【特許請求の範囲】
【請求項１】
顎紐付き麦わら帽子本体（１）で、後頭部側（３）に後頭部紐（４）を設け、後頭部紐（４）を後頭部側（３）から顎紐（５）に繋げ、顎（６）の部位で留め、後頭部紐（４）を顎紐（５）にそって、耳の上まで突き上げ可能であることを特徴とした強風でも飛ばされない顎紐付き麦わら帽子。
【手続補正３】
【補正対象書類名】図面
【補正対象項目名】全図
【補正方法】変更
【補正の内容】
【図１】
2019070220.tif 000005
【図２】
2019070220.tif 000006
(57)【要約】【課題】特定波長の光を選択的に遮断する際、従来は樹脂製光学フィルムを対象製品に貼付する事で、当該機能を付与していた。その為、対象製品の物性、形状、及びフィルムが剥離しない使用環境が求められ、窓ガラス、液晶ディスプレイ等が主な用途であり、当該機能の付与対象となる製品、用途は限定されるという課題があった。【解決手段】特定波長の光を選択的に遮断する機能を有する樹脂製光学フィルムを溶液化し、対象製品の製造過程で原材料に配合する事で、フィルムの貼付が困難であった軟らかい素材の製品、複雑な形状の製品、使用上形状変化を必要とする製品、微細な機器部品に対しても当該機能を付与する事が可能となり、対象となる製品、用途の限定化という課題を解決する。【選択図】なし【特許請求の範囲】
【請求項１】
特定波長の光を選択的に遮断する機能を有する樹脂製光学フィルムを溶液化した機能性添加剤
【請求項２】
請求項１に記載の機能性添加剤を対象製品の原材料に配合する事により、当該機能を付与する加工方法（ＢＩ方式）
【請求項３】
請求項２に記載の方法により加工され、当該機能を有する製品
【請求項４】
請求項３に記載の製品を使用した機器及び設備
【発明の詳細な説明】
【技術分野】
【０００１】本発明は「機能性光学フィルムの技術」と「機能性添加剤の技術」の応用技術に関する。
【背景技術】
【０００２】機能性光学フィルムの技術（１）
液晶ディスプレイを構成する部材には多くの光学材料が用いられる。
基本的な部材の１つが光学フィルムである。
光学フィルムは光の「振動方向制御」「光の位相差制御」「集光」「光の拡散等」機能別に多くの種類がある。【０００３】機能性光学フィルムの技術（２）
乗用車の窓ガラスに使用される紫外線だけを遮断する光学フィルム【０００４】機能性光学フィルムの技術（３）
鉄道車両の窓ガラスに使用される赤外線だけを遮断する光学フィルム【０００５】機能性添加剤の技術（１）
プラスチック材料には多くの添加剤が使用されている。
添加目的から分類すると一般的に次のように大別される。
（１）加工性の改良、安定剤、可塑剤、滑剤
（２）耐候性、耐久性の向上、酸化防止剤、紫外線吸収剤
（３）耐火性、耐熱性の向上、難燃剤、架橋剤
（４）界面性能の改良、帯電防止剤、滑剤
（５）特殊な機能の付与、発泡剤、硬化剤【０００６】機能性添加剤の技術（２）
抗菌・防カビ剤や防腐剤、防虫剤等はバイオサイドと呼ばれ、身近な日常品から医療・衛生用品、工業用品まで幅広い分野で使用されている。
対象製品の原材料に特定の添加剤を配合する事で、当該機能を付与する加工方法
【先行技術文献】
【非特許文献】
【０００７】
【非特許文献１】「２０１８年版  ファインケミカル年鑑」ＣＭＣ出版、Ｐ．１３６−１３９、Ｐ．１９０−１９７  Ｐ．２７４−Ｐ２８１
【発明の概要】
【発明が解決しようとする課題】
【０００８】特定波長の光を選択的に遮断する際、従来は樹脂製光学フィルムを対象製品に貼付する事で当該機能を付与していた。
その為、対象製品の物性、形状、及びフィルムが剥離しない使用環境が求められ、窓ガラス、液晶ディスプレイ等が主な用途であり、当該機能の付与対象となる製品、用途は限定されるという課題があった。
【課題を解決するための手段】
【０００９】特定波長の光を選択的に遮断する機能を有する樹脂製光学フィルムを溶液化し、対象製品の製造過程で原材料に配合する事で、フィルムの貼付が困難であった軟らかい素材の製品、複雑な形状の製品、使用上形状変化を必要とする製品、微細な機器部品に対しても当該機能を付与する事が可能となり、対象となる製品、用途の限定化という課題を解決する。
【実施例】
【００１０】赤外線を遮断する光学フィルムを溶液化し、窓ガラスの原材料に配合し製造すると、フィルム貼付を必要としないが当該機能を有する窓ガラスを提供出来る。【００１１】赤外線を遮断する光学フィルムを溶液化し、樹脂製壁紙の原材料に配合し製造すると、高い断熱機能を有する壁紙を提供出来る。
(57)【要約】【課題】避難時は、色々な災害状況のなかでの対応が要求される。また、一時的に避難した場所でのも応用の利く物が必要とされる。【解決手段】ヘルメットの機構を有した積層帽体で、二層以上の層間を上下に伸縮し、個々の状態で固定出来る。積層帽体の一層以上で、その層内の一部または全体を透明な素材で構成した窓部を設けた構造で、積層帽体の最上部に装脱着できる機構の物入を設けてある。また、積層帽体の最下層には、通気弁と下部端には装脱着できる機構の布状袋から構成されている。【選択図】図２
2019099979.tif 000002
【特許請求の範囲】
【請求項１】
径が異なる錐状を重なり合う二層以上で構成された積層帽体で、それらの層間を上下に伸縮できる多機能防災ヘルメット。
【請求項２】
積層帽体の各層間を伸縮時に固定するストッパー機構と、その組合わせからなる請求項１に記載した多機能防災ヘルメット。
【請求項３】
積層帽体の一層以上で、この層内の一部または、全体を透明な素材を構成した請求項１および請求項２に記載した多機能防災ヘルメット。
【請求項４】
積層帽体の最上層に於ける上部に装脱着できる機構の物入を設けた請求項１および請求項２に記載した多機能防災ヘルメット。
【請求項５】
積層帽体の最下層に於ける下部端に装脱着できる機構の、丸めて収納でき且つ、片先端を絞る事ができ、上下が開放され、布状で形成された筒状ものを設けた請求項１および請求項２に記載した多機能防災ヘルメット。
【請求項６】
積層帽体の最下層に通気弁設けた請求項１および請求項２に記載した多機能防災ヘルメット。
【発明の詳細な説明】
【技術分野】
【０００１】  災害において、避難及び一時避難場所での多機能利用を、提供する事に関するものである。
【背景技術】
【０００２】  従来の防災用ヘルメットは、通常に用いられているヘルメットを利用し、それ以外の利用を目的としていなかった。
【発明の概要】
いなか
【発明が解決しようとする課題】
【０００３】  避難時は、色々な災害状況があり、それらに対応できる装備が要求される。また、一時的に避難した場所では、応用の利く物が必要とされる。
【課題を解決するための手段】
【０００４】  本発明は、ヘルメットの機能を有した積層帽体で、錐状の重なり合う二層以上の層間で上下に伸縮し、その個々の形状で固定することが出来ることである。【０００５】  この積層帽体の一層以上で、その層内の一部または、全体を透明な素材を構成した窓部を設けた構造にしたものである。【０００６】  積層帽体の最上層に於ける上部に、装脱着できる機構の物入を設けたものである。【０００７】  また、積層帽体の最下層に、通気弁と下部端に装脱着できる機構の、丸めて収納した片先端を絞る事ができる袋状の上下が開放された布状袋を設けたのである。
【発明の効果】
【０００８】  避難時の状況によって、積層帽体を上下に伸縮して利用する。縮めた状態では、通常の頭を保護するヘルメットとして利用し、目を保護する場合は、窓部がある中間位置の層部まで伸ばし、目の保護と視界を確保することができる。また、最大に伸ばすことで顔全体を保護して利用できる。【０００９】  積層帽体で最上層の上部に装脱着できる機構の物入を設けることで、非常時に役立つ小物を収納したり、位置情報発信機等の搭載に利用できる。また、最下層の下部に装脱着できる機構の、片先端を絞る事ができる布状で、防風雨時や防煙時に利用できる。【００１０】  一時避難する場所では、利用する用途に合わせ、積層帽体を上下に伸縮させて、物入やバケツ、洗面器や簡易椅子として利用したり、その他の利用に応用が可能である。
【発明を実施するための形態】
【００１１】  図１は、本発明の断面構成図で積層帽体１の最上部に装脱着できる機構の物入９と最下部に装脱着できる機構の、丸めて収納され、片先端を紐等で絞る事ができる防水性かつ防火性の素材が望ましい袋状の上下が開放された布状袋１０と、通気弁１１、また持ち手用紐１２からなり、装着可能なヘルメットの構造としてのハンモックやヘッドバンド及び還紐やアゴ紐等の着装体２から形成している。積層帽体１は、錐状の重なり合う上下に伸縮できる層３と層４と層５で形成され、この各層間を固定する、凸ストッパ６と凹ストッパ７が噛み合うことで固定する。その他の固定方法として、開閉機構を用いたりスプリング機構を用いたりする組合せ方法もある。層４と層５の一部または、全体を透明な素材とした視界の確保ができる窓部８を有した構成からなる。
【００１２】  図２は、積層帽体１の層３と層４と層５を互いに重ね固定した最小限に縮めた状態で、これに着装体２の装着され通常のヘルメットとして使用する。この着装体２と上部にある物入９を積層帽体１から脱着し、積層帽体１を返すことで、容器等や洗面器等として使用できる。また、この最小限に縮めた状態を通常の収納状態とする。
【００１３】  次に、積層帽体１の層３と層４は、重なり合って納まったままで、層５だけを伸ばして帽体として利用する状態では、層５の窓部８により、目の保護と視界を確保して利用できる。
【００１４】  積層帽体１の層３と層４及び層５を、最大に伸ばした状態での帽体として利用す場合は、層４の窓部８で視界を確保し且つ、顔全体を保護することが可能となる。必要に応じて布状袋１０を広げることで密閉性を上げたり、通気弁１１で通気確保もできる。この積層帽体１を密閉容器としての浮力材としても利用できる。また、着装体２と上部に取付けた箱状物入９を積層帽体１から脱着し、必要に応じて布状袋１０を脱着して、簡易椅子等や積層帽体１を返すことで、持ち手用紐１２でバケツ等として使用できる。
【００１５】  図３は、積層帽体１での装脱着が可能な主な各部分である。最上部に物入９と、中間部に伸縮が可能な部分の層３と層４と層５と、最下部に布状袋１０から構成され、必要に応じて各部分を装脱着して利用する。
【産業上の利用可能性】
【００１６】  携帯が容易で、災害時だけではなく平常時でも多方面での利用が可能である。また、複数個を組合せることで簡易ボートやベットの基礎材料等としての応用が可能である。
【図面の簡単な説明】
【００１７】
【図１】は、積層帽体１の断面構成図である。
【図２】は、積層帽体１を伸縮させた各状態の構成図である。
【図３】は、積層帽体１の装脱可能な部分状態の構成図である。
【符号の説明】
【００１８】  １  積層帽体
２  着装体
３  層
４  層
５  層
６  凸ストッパ
７  凹ストッパ
８  窓部
９  物入
１０  布状袋
１１  通気弁
１２  持ち手用紐
【図１】
2019099979.tif 000003
【図２】
2019099979.tif 000004
【図３】
2019099979.tif 000005
(57)【要約】【課題】  暖房をしなくても寒い冬でもすごせるようにする。【解決手段】  上は綿入りのコートを着、下はニットの入ったパンツをはく。【選択図】なし【特許請求の範囲】
【請求項１】
パンツの表と裏の間にニットを入れてパンツを作る。パンツだけでなく、すべての衣類に適用する。
【発明の詳細な説明】
【技術分野】
【０００１】  本発明は温暖化防止のため冬に暖房を使わず暖かく居れるため、上着は綿の入ったコートを着ると暖かいが下は綿の入ったパンツがないので、又座ったり立ったりするので綿の入ったパンツは合わない。そのため綿の代わりに身につけていれば暖かくなるニットか毛布のような物を綿の代わりに中に入れ裏地は毛布のような生地をつけ三重に暖かくする。表地は風のとおりにくい物にするとよい。表と裏の間に入る物はニットかほかの暖かくなる物でもよい。又二重に入れても三重に入れてもよい。何重でもよい。毛布のような暖かい生地でニットをはさんで風通りにくい表地をつけ四重にすると、より暖かい。
【背景技術】
【０００２】  従来は表地と裏地の中にニットが入ったパンツがなかった。それであまり暖かくなかった。
【発明の概要】
【発明が解決しようとする課題】
【０００３】  冬寒くても暖房つけずに暮らせるようにする。パンツもロングスカートも三重以上で暖かい生地で作る。
【課題を解決するための手段】
【０００４】  パンツもロングスカートも中にニットを入れて作る。なおバンツだけでなくすべての衣類に適用する。  スラックスもスボンもその他あらゆる衣類に適用する。
【発明の効果】
【０００５】  これでパンツでもスカートでも寒い冬に暖かく過ごせる。
【発明を実施するための形態】
【実施例】
【０００６】  パンツの表と裏の間にニットを入れて作る。上は綿入りのコートを着、下は中にニットが入ったパンツをはく。
(57)【要約】【課題】自転車を運転するときに、人間の運動しやすい最適な長さの十分な強度と剛性を有する自転車用クランクを提供する。【解決手段】クランク軸１を連結可能なクランク軸取付部２と、ペダルを連結可能なクランク本体３とを有する自転車用クランク３０であって、クランク軸１が連結可能な連結溝が形成されたクランク軸取付部２と、クランク本体３に形成された凸または凹な噛み合い溝と噛み合う溝を有し、クランク本体３と着脱可能で締結可能な連結部を有する長さの異なる交換可能なスペーサー４とスペーサー４とクランク取付部２に着脱可能で締結可能な連結フレーム８とクランク取付部２とスペーサー４とクランク本体３を締結するクランク本体取付ボルト５によりクランク長さを変更できる自転車用クランク３０。【選択図】図１
2019099120.tif 000002
【特許請求の範囲】
【請求項１】
クランク軸を連結可能なクランク軸取付部と、ペダルを連結可能なクランク本体とを有する自転車用クランクであって、クランク軸が連結可能な連結溝が形成されたクランク軸取付部と、クランク本体に形成された凸または凹な噛み合い面と噛み合う面を有し、クランク軸に形成された凸または凹な噛み合い面と噛み合う面を有し、クランク本体と着脱可能な締結部を有するスペーサーと、クランク軸取付部とクランク本体とスペーサーを連結するクランク本体取付ボルトを備えた自転車用クランク。
【請求項２】
チェーンリングアームが取り付かない側のクランクであって、クランク軸を連結可能なクランク軸取付部と、ペダルを連結可能なクランク本体とを有する自転車用クランクであって、クランク軸が連結可能な連結溝が形成されたクランク軸取付部と、クランク本体に形成された凸または凹な噛み合い面と噛み合う面を有し、クランク軸に形成された凸または凹な噛み合い面と噛み合う面を有し、スペーサーとクランク軸取付部と着脱可能な締結部を有する連結フレームと、クランク軸取付部とクランク本体とスペーサーを連結するクランク本体取付ボルトを備えた自転車用クランク。
【発明の詳細な説明】
【技術分野】
【０００１】  本発明は、クランク、特に自転車のクランク軸に回転不能に装着される自転車用クランクに関する。
【背景技術】
【０００２】  自転車用クランクは、ペダルとクランク軸とを連結する部品であり、ペダルからの踏力を伝達する動力伝達部材である。クランクの技術的な要求としては、ペダルからの荷重を繰り返し受けても損傷や変形を生じないための高い強度や、ペダルを踏んだ際の変形や違和感が生じないようにするための高い剛性が求められる。また、自転車全体の軽量化を図るために可及的に軽量であることが求められる。また、人間の足の長さに合った、より力強く踏みこめる運動ができる最適なクランク長さが求められる。【０００３】  これらの要求を満たすために、従来、長さの異なるクランクが複数用意される。または、クランク長さを変更できる機構がクランクに組み込まれる。しかし、長さの異なるクランクを試すには何本もクランクを用意する必要があり価格が高くなる。また、従来のクランク長さを変更できる機構は選択できるクランク長さが決まっており、またクランク本体のペダル取付部にクランク長手方向に穴を空ける必要があり、最適な構造にならず、重量が重くなる、強度が低くなる、剛性が低くなる欠点がある。（特許文献１参照）
【特許文献】
【０００４】
【特許文献１】特開２００９−９６４４４号明細書
【発明の概要】
【発明が解決しようとする課題】
【０００５】  従来のクランク長さを変える機構は、ペダル取付部にクランク長さ調整機能を有している。この部位に機構があると、この部位のクランク本体を中空にできず、強度を確保するために肉厚が増し、重量が増す。（特許文献１参照）【０００６】  本発明の課題は、自転車用クランクにおいて、軽量かつ高剛性かつクランク長さを幅広く変更可能とさせることにある。【０００７】  一方、図１のようにクランク長手方向に対して垂直に２つに分割して、スペーサー４を入れて、クランク長さを変更することが考えられる。このような構成にすると、クランク本体３を切削により簡単に中空構造にでき軽さと剛性を両立でき、スペーサー４長さを任意の長さに変更すれば、クランク長さを自由に変更することができる。【０００８】  しかしクランク本体３にスペーサー４を挟む場合、ペダルを踏んでペダル連結部分からクランク本体３を捩れさせる力が働いて、クランク本体３とスペーサー４が相対的にずれるおそれがある。【０００９】  本発明の別の課題は、スペーサー４を用いたクランク長さを可変できる自転車用クランク３０において、クランク本体３とスペーサー４の相対的なずれを抑え、十分な強度と剛性を得ることにある。
【課題を解決するための手段】
【００１０】  図１に係わる自転車用クランク３０は、クランク軸１を連結可能なクランク軸取付部２と、ペダルを連結可能なペダル連結部分をもつクランク本体３と、クランク長さを決定するスペーサー４を有し、スペーサー４とクランク本体３とはお互いに凸または凹に噛み合う面を有し、スペーサー４はクランク本体３に着脱可能な固定できる締結部を有し、スペーサ４とクランク取付部２は連結フレーム８またはチェーンリングアーム６と着脱できる締結部を有し、クランク軸取付部２からクランク本体３へ伸びるクランク本体取付ボルト５によりスペーサー４と共に連結された自転車用クランク３０である。【００１１】  この自転車用クランク３０では、ペダルからペダル連結部へ伝わった、ねじり力はクランク本体３へ伝わり、次にスペーサー４に伝わり、次にクランク軸取付部２に伝わるが、スペーサー４はクランク本体３と凸または凹に噛み合う面を持ち、さらに横からボルトにて締結されるため、ねじり力によるスペーサ４とクランク本体３との間でずれが発生するのを防止できる。スペーサー４とクランク本体を固定せずともクランクとして機能するがスペーサー４とクランク本体３が固定されていないと大きな踏み力がかかると相対的なずれがわずかに発生する。またスペーサー４とクランク取付部２を連結フレーム８で固定することでクランク本体取付ボルト５だけでトルクを受けていた構造が連結フレーム８でもトルクを受けることができ、クランク本体取付ボルト５の応力を緩和でき、ボルトの破断を防止できる。ただし連結フレーム８を設けられるのはチェーンリングが取り付くチェーンリングアーム６が付かない側のクランクのみである。
【図面の簡単な説明】
【００１４】
【図１】（Ａ）は、実施例１に係わる自転車用クランクを表側から見た説明図である。図１（Ｂ）は、図１（Ａ）の分解図である。
【産業上の利用可能性】
【００１５】  本発明に係わる自転車用クランクは、搭乗者により足の長さが違う自転車搭乗者に対して十分な強度と剛性のある最適なクランク長さを提供するものである。
【符号の説明】
【００１６】１  クランク軸
２  クランク軸取付部
３  クランク本体
４  スペーサー
５  クランク本体取付ボルト
６  チェーンリングアーム
７  スペーサー取付ボルト
８  連結フレーム
９  連結フレーム取付ボルト
１０  チェーンリングアーム取付ボルト
３０  自転車用クランク本体
【図１】
2019099120.tif 000003
(57)【要約】【課題】ペットボトルは内容物を注水する際に、空気の流入により水はねを起こし、コップ等から水跳ねし、こぼれたりする。本発明は、ペットボトル内部側面に螺旋状突起を設ける事により注水物に渦を発生させこれを防止する。【解決手段】この実施形態によれば、注水物が渦を巻くことにより注水をスムーズに行う事ができる。【選択図】図１
2019099187.tif 000002
【特許請求の範囲】
【請求項１】
ペットボトル内部に螺旋状突起を設けることによりす注水をスムーズに行う仕組み。
【請求項２】
ペットボトル内部に螺旋状突起を形成したことを特徴とする請求項１に記載のペットボトル。
【発明の詳細な説明】
【技術分野】
【０００１】
本発明はペットボトルの内部側面に螺旋状突起を付け注水をスムーズに行う事ができるペットボトルについてである。
【発明の概要】
【発明が解決しようとする課題】
【０００２】
ペットボトルから容器に内容物を注ぐ際に空気が流入し、水分が飛び散り、スムーズに注ぐ事が出来ない場合がある。
【課題を解決するための手段】
【０００３】
ペットボトル内部側面に底面から注水口まで突起を螺旋状に設け、注水物に渦を発生させながら注水を行う事によりスムーズに注水が行えるようにする。
【発明の効果】
【０００４】
ペットボトルから内容物を注水する際に注水物に螺旋状の渦を発生させ水はねを防止しスムーズに注水を行う。
【図面の簡単な説明】
【０００５】
【図１】この発明の一実施形態を、図１に示す。１のペットボトル内部に2a、2bの突起を注水口3まで連続して螺旋状に設置し、注水物に渦を発生させる事により注水をスムーズに行う事が可能で有る。
【発明を実施するための形態】
【０００６】
この実施形態によれば、ペットボトル製造時に内部側面に螺旋状突起を設ける。
【産業上の利用可能性】
【０００７】
ペットボトル製造時にペットボトル内部側面に螺旋状の突起を設ける事で注水時の水分の飛び跳ねを防止する事ができる。
【図１】
2019099187.tif 000003
(57)【要約】      （修正有）【課題】トイレから排出されるし尿や、台所・浴室・洗面所・洗濯機から排出される生活排水を、電気エネルギーを使わず、嫌気性微生物の活性で分解処理し、発生した汚泥が有益な肥料となる肥料製造装置の提供。【解決手段】地中にブロックやコンクリートで槽を施工し、その槽には、ろ材８を充填した二室の嫌気発酵室２、５があり、一室目の嫌気発酵室２と二室目の嫌気発酵室５の間に肥料として利用する汚泥を引き抜くための空間３があり、前記の各嫌気発酵室と空間は底部でつながっており、前記嫌気発酵室の一室目と二室目は隣り合う空間面に対面する側面が底部に向かって途中で斜面に切り変わる構造の、生活排水から無動力で肥料を製造する肥料製造装置。【選択図】図１
2019099449.tif 000002
【特許請求の範囲】
【請求項１】
地中にブロックやコンクリートで槽を施工し、その槽には、ろ材を充填した二室の嫌気発酵室があり、一室目の嫌気発酵室と二室目の嫌気発酵室の間に肥料として利用する汚泥を引き抜くための空間があり、前記の各嫌気発酵室と空間は底部でつながっており、前記嫌気発酵室の一室目と二室目は隣り合う空間面に対面する側面が底部に向かって途中で斜面に切り変わる構造の、生活排水から無動力で肥料を製造する槽。
【発明の詳細な説明】
【技術分野】
【０００１】  本発明は、トイレから排出されるし尿や、台所・浴室・洗面所・洗濯機から排出される生活排水を、電気エネルギーを使わず、嫌気性微生物の活性で分解処理し、発生した汚泥が有益な肥料となる肥料製造装置に関するものである。
【背景技術】
【０００２】  電気インフラの整備されていない国々や貧困層で電気代が負担になる国、地域では、し尿や、食事に関する排水、洗濯排水など生活するうえで発生する生活排水は処理されることなく、そのまま川や海に排出されている。【０００３】  そこで、前記のような国や地域で排水を処理するために化糞池やセプテックが設けられる。【０００４】  セプテックタンクに蓄積した汚泥は、定期的に引き抜き廃棄処分されるが、維持管理がなされないときは、汚泥は槽内部に蓄積されていき、排水は十分な処理がなされないまま川や海へと流出していくことになる。
【発明の概要】
【発明が解決しようとする課題】
【０００５】  本発明の課題は、生活排水を処理することで発生する汚泥を有効に利用することにある。
【課題を解決するための手段】
【０００６】  上記目的を達成するために、汚泥を肥料として利用できるように、地中を掘り、コンクリートやブロックを用いて無動力で肥料を製造する槽を造る。【０００７】  前記槽内には、二室の嫌気発酵室があり、一室目の嫌気発酵室と二室目の嫌気発酵室の間に肥料として利用する汚泥を引き抜くための空間があり、また前記の各嫌気発酵室と空間は底部でつながっており、前記嫌気発酵室の一室目と二室目は隣り合う空間面に対面する側面が底部に向かって途中で斜面に切り変わる構造であることを特長とする。斜面の角度は、３０から７０度で、さらには４５から６０度がよい。【０００８】  前記二室の嫌気発酵室には、網状骨格体からなる円筒の浮遊物質捕捉性が良く微生物の住処となるろ材を投入し生活排水を微生物の働きで処理する。投入する網状骨格体の円筒ろ材は、外径は５０ｍｍから１００ｍｍで、長さは５０ｍｍから１２０ｍｍであるものを使用するのがよい。【０００９】  前記一室目の嫌気発酵室と二室目の嫌気発酵室の間の空間から、手押しポンプを利用して槽底部に蓄積した汚泥を引き抜き、水分調整をしたのち、肥料として利用する。【００１０】  処理水は、塩素剤で消毒したのち、灌漑用水として二次利用することが可能である。
【発明の効果】
【００１１】  電気インフラの整備されていない国々や貧困層で電気代が負担になる国、地域で、無動力でし尿や、食事に関する排水、洗濯排水など生活するうえで発生する生活排水を処理し、処理するときに発生する汚泥を肥料として使用するため、環境に負荷を与えることのない肥料を製造する槽である。
【図面の簡単な説明】
【００１２】
【図１】電気を使わない無動力の肥料を製造する槽の断面図である。
【発明を実施するための形態】
【実施例１】
【００１３】  図１は、電気を使わない無動力の肥料を製造する槽の断面図である。図１の嫌気発酵室第一室２と嫌気発酵室第二室５には、あらかじめ現地から採取した土壌を投入し嫌気性微生物を増殖させておく。【００１４】  図１の流入口１から生活排水が１日１人あたり約２００Ｌ流入し、嫌気発酵室第一室２と嫌気発酵室第二室５を通過し、消毒室６を経て処理水は流出口７から用水路へと流出していく。汚水の滞留時間は３６時間で設計されている。【００１５】  汚泥は、立ち上げから半年後を目処に汚泥引き抜き用の空間３から引き抜きを開始する。１回に１人槽乾物量換算で２から３キログラムの汚泥を引き抜く。【００１６】  汚泥の肥料成分を下記の表１に示す。【００１７】
【表１】
2019099449.tif 000003
2019099449.tif 000004
【産業上の利用の可能性】
【００１８】  嫌気発酵室第二室のあとに平面酸化を設けることで、より高度に排水を処理できるようになり、生活排水だけでなく、大型の槽を施工して工場排水を処理する用途にも適用できる。
【符号の説明】
【００１９】１：流入口
２：嫌気発酵室第一室
３：汚泥引き抜き用の空間
４：汚泥引き抜き口
５：嫌気発酵室第二室
６：消毒室
７：流出口
８：ろ材
【図１】
2019099449.tif 000005
(57)【要約】【課題】  篠笛を持ち運ぶ時にバックに入る様に、篠笛を分割し接続できる繋ぎ篠笛を提供する。【解決手段】  篠笛を２つ以上に分割（１）し、演奏時に接続パイプで繋ぎ、元の篠笛とした。【選択図】図２
2019139195.tif 000002
【特許請求の範囲】
【請求項１】
篠笛を２つ及び数個に分割（２）し、接続パイプ（５）で密着接合し、かつ脱着できる笛。
【発明の詳細な説明】
【技術分野】
【０００１】  この発明は篠笛を数本に分割し、演奏時には接続パイプを用いて、元の一本の篠笛とする繋ぎ篠笛である。
【背景技術】
【０００２】  従来、篠笛は一本の篠竹に歌口、指孔（手穴）でできている。
【先行技術文献】
【０００３】
【発明の概要】
【発明が解決しようとする課題】
【０００４】これは、次のような欠点があった。
（イ）篠笛は全長が４０ｃｍ以上あり、ハンドバックや鞄に入らず持ち運びに非常に不便である。そのため、篠笛を手軽に楽しむことが難しかった。
（ロ）歌口と指孔（手穴）の位置（角度）が笛師の作意で製作してあり演奏者は各々の篠笛に馴れながら演奏しなければならない。
（ハ）篠笛を作成するにあたり節間４０ｃｍ以上の篠竹が必要である。しかし現在は原材料の篠竹の減少にともない材料の確保が困難であり、高価になりつつある。
本発明は、以上のような欠点をなくすためになされたものである。
【課題を解決するための手段】
【０００５】篠笛（１）を分割し、分割断面内部に凹加工を施して、接続パイプにて密着接合を行う接合パイプを用いた繋ぎ篠笛である
本発明は以上のような構成による繋ぎ篠笛である。
【発明の効果】
【０００６】（イ）繋ぎ方式であるため、篠笛を分割することにより、短くなり持ち運びが容易になった。
（ロ）歌口と指孔（手穴）の角度が任意に設定可能であり演奏しやすくなった。
（ハ）分割したパーツを組み合わせる事で入手しやすい３０ｃｍ以下の篠竹を材料として篠笛の作成が可能になった。
【図面の簡単な説明】
【０００７】
【図１】本発明の斜視図である。
【図２】本発明の分解斜視図である。
【発明を実施するための形態】
【０００８】以下、本発明を実施するための形態について説明する。
篠笛を分割線（２）で分割する。
接続パイプの両サイド部に凸テーパー加工（３）を施す。
分割した篠笛の断面内部に、接続パイプの凸テーパー（３）に合わせて凹テーパー加工（４）を施す。
分割した篠笛を接続パイプ（５）で密着接合し一本にした篠笛（１）である。
本発明は以上のような構成による分割式篠笛（１）である。
【符号の説明】
【０００９】１  繋ぎ篠笛
２  分割線
３  接続パイプの凸テーパー加工
４  断面内部の凹テーパー加工面
５  接続パイプ
【図１】
2019139195.tif 000003
【図２】
2019139195.tif 000004
(57)【要約】      （修正有）【課題】銀行のインターネットバンクホームページ内の振込画面への入力を安全かつ迅速に行う方法を提供する。【解決手段】銀行のインターネットバンクホームページ内内の振込ページにおいて、振込元口座番号の入力欄をなくし、振込先口座番号と振込金額の入力欄を設け、振込先口座番号と振込金額のみの入力で振込指示を行う。【選択図】なし【特許請求の範囲】
【請求項１】
銀行インターネットバンクホームページ内振込ページ（個人用）
【発明の詳細な説明】
【技術分野】
【０００１】本発明は、銀行のインターネットバンクホームページ振込画面に関する。
【背景技術】
【０００２】
2019139727.tif 000002
ことを自分でパソコン入力することによって振込を実現した。
2019139727.tif 000003
可能で、これでは、他人から自分へお金を振込む、つまり、お金のどろぼうができてしまう。
振込のページにすすむには、まず、残高のページから、ワンタイムパスワードをつかってひらけなければならない。このように、ワンタイムパスワードで本人確認を行っているし、初画面においても、ユーザーＩＤ、確認番号によって、だれの口座をひらくかが本人確認できている。残高照会の画面から振込のページというのは、つながっているので、振込指示がどの口座からでたか、受信先の銀行側は、認識できている。
【発明の概要】
【発明が解決しようとする課題】
【０００３】以上のように、ユーザーＩＤ、確認番号、ワンタイムパスワードにより、口座のもち主
2019139727.tif 000004
人の口座番号を入力しても銀行側に指示ができる点にもんだいがある。
2019139727.tif 000005
はずなのに、実際には、ネットバンク登録のない、普通貯金や窓口貯金でも入力できるようになっており、銀行側に振込指示ができる。
【課題を解決するための手段】
【０００４】
2019139727.tif 000006
口座番号を入力することはできなくなる。振込のページは前ページの残高照会のページとつながっているので口座番号何番の人が振込指示
2019139727.tif 000007
【発明の効果】
【０００５】
2019139727.tif 000008
からしか振込みを行うことはできなくなる。
よって、他人の口座を入力したり、普通貯金口座を入力する可能性は存在しえない。
これにより、もし、どろぼうするとしても、のぞき見により他人のユーザＩＤ確認番号がわからなければ、どろぼうすることはできない。
機械をつくったりしないで、ホームページの登録を一部変えるだけで、簡単にどろぼうを防止できる。
お客によりはやく入力ができるホームページを提供できる。
【図面の簡単な説明】とくになし
【発明を実施するための形態】
【０００６】
2019139727.tif 000009
(57)【要約】      （修正有）【課題】自動販売機を利用する顧客の現在及び将来に関する需要の情報を、自動販売機の通常の利用で収集することのできる自動販売機を提供する。【解決手段】本発明の自動販売機は、インターネットに接続したＡＩロボットを一体として組み込み、顧客が同機に向き合ったときに、ＡＩロボットと情報交換ができ、ＡＩロボットが顧客の要望を聞き瞬時にその情報を、インターネットを通じて販売管理センターに集約し、ビッグデータとして集積し、常に現在と今後の販売戦略が構築できる、ＡＩロボット組み込み型の自動販売機。【選択図】図１
2019139724.tif 000002
【特許請求の範囲】
【請求項１】
自動販売機に、インターネットに接続したＡＩロボットを一体として組み込み、顧客が同機に向き合ったときに、ＡＩロボットと情報交換ができ、ＡＩロボットが顧客の要望を聞き瞬時にその情報を、インターネットを通じて販売管理センターに集約し、ビッグデータとして集積し、常に現在と今後の販売戦略が構築できる、ＡＩロボット組み込み型の自動販売機。
【発明の詳細な説明】
【技術分野】
【０００１】  この発明は、既存の自動販売機の任意の一部にＡＩロボットを組み込むことで、顧客と対話を可能とし、顧客の求めている新たな情報とのやり取りが可能となる。その結果を、インターネットを通じて商品の販売管理センターに瞬時に送ることで、販売管理と新商品の開発・新規販売システムの構築を可能とし、未来型の自動販売機を目指すものである。
【背景技術】
【０００２】  従来、自動販売機は、機械の置かれた場所で顧客が商品を購入し、従業員が代金の回収と商品の補充をするという機能だけであった。
【発明の開示】
【発明が開示しようとする課題】
【０００３】  これらには次のような欠点があった。
つまり、顧客の現在までの消費の結果を知ることはできるが、その自動販売機が扱っていないもので、且つその顧客が将来自販機で購入したい新しい商品の需要についての情報が得られていない、ということである。
本発明は、これらの欠点を除くためになされたものである。
【課題を解決するための手段】
【０００４】  自動販売機の任意の一部にインターネットに接続したＡＩロボットを組み込む。ＡＩロボットは、コミュニケーション能力があることと、顧客との会話の内容を分類して記録し、且つその結果を管理センターに送信する機能を備えていることが必要である。
今日、コミュニケーションロボットは既に様々存在しているので、その中でも顧客との会話により将来の受容を聞き出す問いかけを発し、その答えを聞いて記憶し且つ整理して、管理センターに送信する機能を持ったロボットを選択して組み込むのである。
自動販売機の機能は従前のままでよく、その自販機の一部にコミュニケーションロボットを並列的に設置すればよいのである。個々の販売と同時に、自動販売機に対する将来における顧客の需要がつかめるのである。
【発明の効果】
【０００５】顧客の要望が現在形で直接聞けることで、既存の商品の改善や競争他社の製品との比較、さらに新しい商品の開発の方向性が分かるなど、メリットが大きい。そして、全国に存在する自動販売機の総数は、２０１４年度で約５０４万台とのこと。これらの自動販売機の位置とその顧客からの要望が集約されると、極めて大きいな規模のデータ、まさにビッグデータが獲得でき、今後のマーケティングに不可欠の情報が得られるのである。
【発明を実施すべき裁量の形態】
【０００６】以下、本発明の実施形態について説明する。自動販売機（１）の一部にＡＩロボットの置き場（２）を設け、そこにインターネット回線に接続できるコミュニケーション能力を有するＡＩロボット（３）を設置することで、顧客の受容に関する情報を獲得する。
【図面の簡単な説明】
【０００７】
【図１】  本発明の斜視図
【図２】  本発明の左側面図
【符号の説明】
【０００８】１  自動販売機
２  ＡＩロボットの置き場
３  インターネット接続可能なコミュニケーション能力を有するＡＩロボット
４  インターネット回線
５  商品展示棚
６  決済用装置
７  商品出口
８  電源
【図１】
2019139724.tif 000003
【図２】
2019139724.tif 000004
(57)【要約】【課題】大径部の切れ刃で切削加工された切り屑をらせん状の形態でドリル外へ排出させることで切り屑の排出性を高めた段付きドリルを提供する。【解決手段】切れ刃１１，２１を各々備えて直径ｄ１，ｄ２が互いに異なる小径部１０および大径部２０を備えた段付きドリル１において、小径部１０の直径ｄ１を大径部２０の直径ｄ２に対して５０％以上７０％以下の範囲として、かつ大径部２０の切れ刃２１のすくい面２２には段付きドリル１の外周側から中心軸Ｏに向けた凹部３０を設ける。また、小径部１０と大径部２０を接続する段差部分５０の長さｅを大径部２０の直径ｄ２の１％以上１０％以下の範囲とする。【選択図】  図３
2019166590.tif 000002
【特許請求の範囲】
【請求項１】
切れ刃を各々備えて直径が互いに異なる小径部および大径部を備えた段付きドリルであって、前記小径部の直径は、前記大径部の直径に対して５０％以上７０％以下の範囲であり、かつ前記大径部の切れ刃のすくい面には前記段付きドリルの外周側から中心軸に向けて凹部が設けられていることを特徴とする段付きドリル。
【請求項２】
前記小径部と前記大径部を接続する段差部分の長さは、前記大径部の直径の１％以上１０％以下の範囲であることを特徴とする請求項１に記載の段付きドリル。
【請求項３】
前記凹部は、前記段付きドリルの外周側から前記小径部の切れ刃のすくい面まで設けられていることを特徴とする請求項１に記載の段付きドリル。
【発明の詳細な説明】
【技術分野】
【０００１】
本発明は、金属材料の穴あけ加工に用いる段付きドリルに関する。
【背景技術】
【０００２】
互いに異なる直径（ドリル径）を有した、いわゆる段付きドリルは通常のドリルに比べてアルミニウム合金など比較的に延性を有する被削材を切削加工した場合に長い切り屑が排出される傾向にある。そのような長い切り屑がドリルの溝に滞留すると、ドリルにおける切り屑の排出性が低下して、切削加工性を著しく阻害することになる。
【０００３】
例えば、特許文献１には切れ刃の近傍に凹み部を設けた段付きドリルが開示されている。この凹み部はチップブレーカとも呼ばれるものであり、切れ刃で切削加工した切り屑がこの凹み部で分断されて、アルミニウム合金等の延性を有する被削材であってもドリル外への切り屑の排出性を高める役割を果たす。
【先行技術文献】
【特許文献】
【０００４】
【特許文献１】特開２０１０−２４０８３５号公報
【発明の概要】
【発明が解決しようとする課題】
【０００５】
しかし、特許文献１に開示されている段付きドリルでドリル径の大きい部分（以下、「大径部」という）と小さい部分（以下、「小径部」という）の差、いわゆる径差が小さい場合に大径部の切れ刃で切削加工される切り屑が（らせん状になる前に）直線状のままでドリルの溝を介して排出される。切り屑が直線状の形態であると、らせん状の切り屑に比べて切り屑が長くなるので、ドリルの溝と被削材の間で目詰まり（切り屑詰まり）が生じ易くなる。
【０００６】
そこで、本発明は大径部の切れ刃で切削加工された切り屑をらせん状の形態でドリル外へ排出させることで、切り屑の排出性を高める段付きドリルを提供することを課題とする。
【課題を解決するための手段】
【０００７】
前述した課題を解決するために、本発明は切れ刃を各々備えて直径が互いに異なる小径部および大径部を備えた段付きドリルにおいて、小径部の直径を大径部の直径に対して５０％以上７０％以下の範囲とする。また、大径部の切れ刃のすくい面には段付きドリルの外周側から中心側に向けた凹部（凹溝）を設ける。
【０００８】
小径部と大径部を接続する段差部分の長さについては、大径部の直径の１％以上１０％以下の範囲としても構わない。さらに、前述の凹部（凹溝）は段付きドリルの外周側から小径部の切れ刃のすくい面まで延長することもできる。
【発明の効果】
【０００９】
本発明に係る段付きドリルは、小径部の直径を大径部の直径に対して５０％以上７０％以下の範囲に限定することで、大径部の切れ刃による切削性能を確保しつつ、さらに大径部の切れ刃のすくい面に凹部（凹溝）を設けることで大径部の切れ刃により切削した切り屑を分断させる。その結果、本発明の段付きドリルには切り屑をらせん状に発生させて、そのらせん状の切り屑を分断させることで切り屑の排出性を向上させるという効果を奏する。
【図面の簡単な説明】
【００１０】
【図１】本発明の実施形態の一例を示す段付きドリル１の正面図である。
【図２】図１に示す段付きドリル１の右側面図である。
【図３】図１に示す段付きドリル１先端部分の底面図である。
【図４】図３に示す段付きドリル１先端部分の斜視図である。
【発明を実施するための形態】
【００１１】
本発明の実施の形態の一例について図面を用いて説明する。本発明の実施形態の一例である段付きドリル１の正面図を図１、図１に示す段付きドリル１の右側面図を図２にそれぞれ示す。本発明の段付きドリル１は、図１および図２に示すように２条のねじれ溝２，２を有する段付きドリルであり、直径が互いに異なる小径部１０と大径部２０が実質的に切削加工を担う部分である。特に、本発明の段付きドリル１における小径部１０の直径ｄ１は、大径部２０の直径ｄ２を基準にして５０％以上７０％以下の範囲とする。
【００１２】
小径部１０には２枚の切れ刃１１，１１を有し、大径部２０も２枚の切れ刃２１，２１をそれぞれ有している。大径部２０の切れ刃２１，２１の位置は、図１に示すように小径部１０の切れ刃１１，１１の位置に対して段付きドリル１の回転方向ＲＴよりもやや後方側にある。小径部１０と大径部２０は段差部分５０を介して連続的に接続されており、段差部分５０の長さｅは、大径部２０の直径ｄ２に対して１％以上１０％以下の範囲である。
【００１３】
また、図１に示す段付きドリル１先端部分の底面図を図３、図３に示す段付きドリル１先端部分の斜視図を図４にそれぞれ示す。小径部１０のすくい面１２と大径部２０のすくい面２２は、図３および図４に示すように段付きドリル１のねじれ溝２と連続につながって形成されている。大径部２０のすくい面２２には、段付きドリル１の外周側から中心側（中心軸Ｏ）に向けて大径部２０の切れ刃２１とほぼ平行に凹部（凹溝）３０が設けられている。この凹部（凹溝）３０は、段付きドリル１のリーディングエッジ４０を起点として中心軸Ｏに向けて伸びており、小径部１０のすくい面１２にまで達している。
【符号の説明】
【００１４】
１          段付きドリル
２          ねじれ溝
１０        小径部
１１        小径部の切れ刃
１２        小径部のすくい面
２０        大径部
２１        大径部の切れ刃
２２        大径部のすくい面
３０        凹部（凹溝）
４０        リーディングエッジ
５０        段差部分
ｄ１        小径部の直径
ｄ２        大径部の直径
ｅ          段差部分の長さ
Ｏ          段付きドリルの中心軸
【図１】
2019166590.tif 000003
【図２】
2019166590.tif 000004
【図３】
2019166590.tif 000005
【図４】
2019166590.tif 000006